(57)【要約】      （修正有）【課題】車椅子利用者が、車椅子からベッドに移動、あるいはベッドから車椅子に移動する場合、車椅子利用者自身の寝返り横回転の動作で、移動できるようにするための車椅子を提供する。【解決手段】車椅子利用者が、車椅子からベッドに移動する場合、あるいはベッドから車椅子に移動する場合、車椅子の座面１８を、肘掛け２，３の高さまで吊り上げスライドさせながら、背もたれ部１７と下肢支持部１９を、水平直線状に移動させることにより、車椅子利用者は、ベッドに向かって寝返り横回転又は横滑りの動作で、車椅子からベッドに移動することが出来る。肘掛け２，３の高さは、予めベッドのマッドと同じ高さに調整しておき、又車椅子とベッドとの間には「渡り板」を設けて、寝返り横回転が容易に出来るようにする。【選択図】図１
2007283076.tif 000002
【特許請求の範囲】
【請求項１】
車椅子の座面を、肘掛けの高さまで吊り上げ、スライドさせながら、背もたれ部と下肢支持部と共に、水平直線状に変形させることによって、車椅子の座面、背もたれ部及び下肢支持部を、ベッドのマッドと同じ高さの水平状態として、車椅子利用者の寝返り横回転、または横滑りの動作により、車椅子からベッドへの移動、あるいはベッドから車椅子への移動を可能とした車椅子。
【請求項２】
車椅子の座面を、肘掛けの高さまで吊り上げ、スライドさせながら、背もたれ部と下肢支持部と共に、水平直線状に変形させる手段として、背もたれ部と肘掛け部、座面との連結点、下肢支持部と肘掛け部、座面との連結点の４点を、変形が可能な平行四辺形の構成とし、巻取りレバーの往復操作あるいは電動の操作により、座面に連結したワイヤロープを、滑車を介してドラムに巻取り、座面を吊り上げスライドさせる構造と機能。
【請求項３】
車椅子利用者が、背もたれ、座面及び下肢支持部の水平直線状の上に、横になった時に上半身側が落下転落することを防止するため、背もたれ部に転落防止脚を設けた構造。
【請求項４】
転落防止脚は、背もたれ部と水平バーの連結点で、変形可能な平行四辺形を構成とすることにより、背もたれ部が垂直の状態から水平の状態になるまで、常に垂直状態を維持する構造。
【発明の詳細な説明】
【技術分野】
【０００１】本発明は、体が不自由で車椅子を利用している方（以下「車椅子利用者」という。）が、車椅子からベッドに移動、あるいはベッドから車椅子に移動（以下この２方向の移動を「車椅子からの移動」という。）をする場合、車椅子利用者自身の寝返り横回転の動作で、移動できるようにするための車椅子の構造に関する。
【背景技術】
【０００２】従来の車椅子では、車椅子利用者が車椅子からの移動をする場合、看護士または付添人（以下「介護人等」という。）に抱えて貰うなどの手助けを必要としていた。【０００３】従来の車椅子には、背もたれが殆ど水平になるフルリクライニング式の車椅子もあるが、これは車椅子の座り心地に関するもので、車椅子からの移動を容易にするものではなく、介護人等の手助けを必要としていた。
【発明の開示】
【発明が解決しようとする課題】
【０００４】車椅子利用者が、車椅子からの移動をする場合、車椅子利用者一人では移動が出来ず、介護人等に、抱えて貰うなどの手助けを必要とする課題があった。【０００５】手助けをする介護人には、車椅子利用者を抱え上げる体力と労力が必要であること、又手助けには２人の介護人等を必要とする課題があった。
【課題を解決するための手段】
【０００６】車椅子利用者が、車椅子からベッドに移動する場合、車椅子の背もたれ側を、ベッドの枕側にして、ベッドの横に出来るだけ接近させ、車椅子のブレーキを掛けて固定する。
本発明の車椅子の座面を、肘掛けの高さまで吊り上げスライドさせながら、背もたれ部と下肢支持部を、水平直線状に移動させることによって、車椅子の座面、背もたれ及び下肢支持部を、ベッドのマッドと同じ高さの水平状態にする。
車椅子利用者は、ベッドの上の渡り板を車椅子の肘掛け部に固定し、ベッドに向かって寝返り横回転、あるいは横滑りをして、車椅子からベッドへの移動が出来る。
この場合、車椅子の肘掛けの高さを、予めベッドのマットと同じ高さに、合わせておくものとする。【０００７】ここで渡り板は、車椅子からベッドへの移動、あるいはベッドから車椅子への移動を、容易にするための板で、車椅子の肘掛け部に上から引掛け、固定する金具を付属する。
渡り板の長さは、背もたれ部、座面及び下肢支持部の全長、幅は約５０センチメートルが適当と思われるが、大きさを特定するものではない。
車椅子で走行をする場合、車椅子の肘掛け部から外した渡り板を、ベッドの上に置いたままにしておくと、車椅子利用者が、渡り板を車椅子に取付ける時に便利である。【０００８】車椅子利用者が、ベッドから車椅子に移動する場合、本発明の車椅子を、車椅子利用者がベッドに移動した時のままで、座面、背もたれ及び下肢支持部を水平状態で、渡り板も車椅子とベッドの間に渡したままにして置くと、車椅子利用者は、ベッドから車椅子に向かって寝返り横回転をして、車椅子に移動することが出来る。
又車椅子利用者がベッドで休む場合は、車椅子は固定したままにしておき、渡り板だけを肘掛けから外して、車椅子の上に置いてもよい。【０００９】本発明の車椅子の座面を、肘掛けの高さまで吊り上げスライドさせながら、背もたれ部と下肢支持部を、水平直線状に移動させる手段として、巻取りレバーの往復操作により巻取りドラムを回転させて、車椅子の座面に連結したワイヤロープを、巻取りドラムに巻取ることによって、座面を吊り上げスライドさせて、背もたれ部と下肢支持部と共に、水平直線状に移動変形させることが出来る。【００１０】本発明の車椅子の背もたれ部を、垂直にしている場合、座面の４点の角は、背もたれ部と下肢支持部によって、吊り下げられているため、ワイヤロープには、車椅子利用者の荷重は掛からない。
ワイヤロープの巻取り初めは、座面の水平移動であるため、巻取りレバーには殆ど荷重は掛からないが、座面の上昇スライドに従って、徐々に車椅子利用者の荷重が掛かってくる。
しかし座面が上昇スライドすることにより、背もたれが倒れてくるので、車椅子利用者の体重は、座面から背もたれの方に移動し、座面に掛かる荷重が減少するため、巻取りレバーの荷重は徐々に軽くなってくる。【００１１】本発明の車椅子では、車椅子利用者の寝返り横回転の動作を容易にするため、座面及び背もたれ部は、平板にクッションシート材を取付けた構造とし、折りたたみ機能は有しない。【００１２】本発明の車椅子外形の寸法形状、自走の機能、ブレーキ機能及びドラムの逆転防止機能については、従来の車椅子及び既知の機能と構造によるものとする。【００１３】本発明の車椅子の座面を、肘掛けの高さまで吊り上げスライドさせながら、背もたれ部と下肢支持部を、水平直線状に移動する機能と構造について、図１及び図２により説明をする。
フレーム１、２、３及び４は、肘掛けと保護カバーを兼ねた堅固な側板である。
フレーム１の下に、高さを調整するためのスクリュージャッキ１５があり、その下側に後輪１３が付いている。
フレーム４の下に、高さを調整するためのスクリュージャッキ１６があり、その下側に前輪１４が付いている。
スクリュージャッキ１５と１６を調節して、車椅子の肘掛けの高さとベッドのマッドの高さを合わせる。この調節は車椅子利用者のベッドが変わらない限り、最初に調整するだけで、その後の調整は不要である。
背もたれ１７は、６でフレーム２と連結し、５で座面１８と連結する。また５から上側の部分には、背もたれクッションシートを取付ける。
下肢支持部１９は、８でフレーム肘掛け部と連結し、７で座面１８と連結する。１２には足置き部２７が付いている。
座面１８は、背もたれ１７の５−６と、下肢支持部１９の７−８によって吊り下げられ、５、６、７及び８の４点は、変形可能な平行四辺形を形成する。
座面１８と背もたれ１７との連結点５には、ワイヤロープを連結し滑車２０を経由して巻取りドラム２２に接続されている。同様に、座面１８と下肢支持部１９との連結点７には、ワイヤロープを連結し滑車２１を経由して、巻取りドラム２２に接続されている。巻取りドラム２２は、カムと逆転防止爪の組み合わせにより、逆転しない構造になっているが、逆転防止爪を切替えることによって、巻取り方向と巻戻し方向を切替えることが出来る。
ワイヤロープの巻取りレバー２３を前後に往復操作をして、巻取りドラム２２にワイヤロープを巻取ると、５は滑車２０に向かって、７は滑車２１に向かって移動する。
すなわち、巻取りレバー２３を操作して、巻取りドラム２２にワイヤロープを、巻取ることによって、座面１８は、フレーム２―３の肘掛けの高さまで上昇スライドする。
それに伴い背もたれ１７は、６を支点として後輪１３方向に倒れ、下肢支持部１９は、８を支点として足置き部２７が上昇し、最終状態では背もたれ１７、座面１８及び下肢支持部１９は、肘掛けの高さで水平直線状になる。【００１４】背もたれ１７、座面１８及び下肢支持部１９が水平直線になった時に、車椅子利用者が、横になったままでいると、６から下半身側の体重より、６から上半身側の体重の方が、重たいので落下転落するおそれがある。この落下転落を防止するため、背もたれ１７の９に転落防止脚２４を設けて、６から上半身側の体重を支える。
転落防止脚２４の長さは、背もたれ１７が水平になるように、スクリュージャッキ２６を予め調節しておくものとし、転落防止脚２４の下部先端には、滑り防止用のキャップを付ける。
フレームの１０と転落防止脚２４の１１を、水平バー２５で連結し、５、１０、９及び１１の４点を、変形可能な平行四辺形にすると、背もたれ１７が、垂直の状態から水平の状態になるまで、転落防止脚２４は、常に垂直の状態で移動し転落防止の機能をする。【００１５】巻取りレバー２３は、車椅子利用者が操作しやすい任意の位置で操作出来るが、操作後は、巻取りレバーストッパー２８に、巻取りレバー２３を固定する。【００１６】以上は片側の構造と機能の説明であるが、同一の構造機能のものを左右の両側に配備し、両者を連結フレームで連結一体化して車椅子を構成する。【００１７】巻取りドラム２２の軸は、左右の巻取りドラム２２を連結して、いずれの巻取りレバー２３を操作しても、両側の巻取りドラム２２が回転する構造とする。【００１８】巻取りレバー２３は、左右ともフレームカバーの外側に取付け、いずれも車椅子の外側から操作できるようにする。【００１９】下肢支持部７の７―８、滑車２０、滑車２１、巻取りドラム２２及びワイヤロープは、フレーム１、２、３及び４の保護カバー内に納め、座面を吊り上げスライドする時に、車椅子利用者の衣服などが巻き込まれないようにする。
【発明の効果】
【００２０】本発明の車椅子を用いることによって、自分で寝返り横回転が出来る車椅子利用者は、介護人等の手助けがなくても、自分の自由意志で巻取りレバーを操作して、車椅子からの移動が出来る効果がある。【００２１】本発明の車椅子を用いることによって、介護人等は、車椅子利用者が車椅子からの移動をする都度、手助けをする必要がなくなり、手間と労力が省ける効果がある。【００２２】車椅子利用者が、自力で寝返り横回転の動作が出来ない場合、本発明の車椅子を用いることによって、介護人等が、車椅子の巻取りレバーを操作して、車椅子利用者を車椅子からベッドへ横回転させるだけとなり、介護人等には、車椅子利用者を抱え上げる体力も労力も不必要となり、一人でも移動させることが出来る効果がある。
【発明を実施するための最良の形態】
【００２３】病院や老人ホームなど車椅子の利用者が多い施設で、本発明の車椅子を利用することによって、本発明の効果が発揮できる。
【実施例】
【００２４】本発明の車椅子を用いることによって、自分で寝返り横転が出来る車椅子利用者は、介護人等の手助けがなくても、自分の自由意志で巻取りレバーを操作して、車椅子からの移動が可能になり、車椅子利用の生活がより快適になる。【００２５】介護人等にとっても、車椅子利用者が車椅子からの移動をする毎に、手助けをする必要がなくなるため、手助けの手間と労力が省け、他の仕事に従事することが出来る。【００２６】車椅子利用者が、自力で寝返り横転の動作が出来ない場合は、本発明の車椅子を用いることによって、介護人等は、車椅子利用者が車椅子からベッドに横回転する手助けだけとなり、介護人等には、車椅子利用者を抱え上げる体力も労力も不必要となり、一人でも移動させることが出来る。
【図面の簡単な説明】
【００２７】
【図１】車椅子の座面を吊り上げスライドし、背もたれ部と下肢支持部を水平直線状にする機能を示す右側の構造図である。
【図２】車椅子の背もたれ部と下肢支持部を、水平直線状にした時の右側面図である。
【図３】車椅子を上から見た時の外形を示す平面図で、右側半分は断面構造を示す。
【図４】車椅子を前面から見た時の外形を示す正面図で、右側半分は断面構造を示す。
【図５】車椅子を後面から見た時の外形を示す背面図で、右側半分は断面構造を示す。
【図６】車椅子を右側から見た時の外形を示す側面図で、破線にて背もたれ部及び座面の位置を示す。
【符号の説明】
【００２７】  １：フレームの後輪取付け部
２：フレームの肘掛け後部
３：フレームの肘掛け前部
４：フレームの前輪取付け部
５：背もたれ１７と座面１８との連結点
６：背もたれ１７とフレーム２部との連結点
７：下肢支持部１９と座面１８との連結点
８：下肢支持部１９とフレーム肘掛け部との連結点
９：転落防止脚２４と背もたれ１７との連結点
１０：水平バー２５とフレーム１部との連結点
１１：水平バー２５と転落防止脚２４との連結点
１２：下肢支持部１９の足置き部
１３：後輪
１４：前輪
１５：後輪用スクリュージャッキ
１６：前輪用スクリュージャッキ
１７：背もたれ
１８：座面
１９：下肢支持部
２０：５からのワイヤロープ用滑車
２１：７からのワイヤロープ用滑車
２２：巻取りドラム
２３：巻取りレバー
２４：転落防止脚
２５：水平バー
２６：転落防止脚用スクリュージャッキ
２７：足置き部
２８：巻取りレバーストッパー
【図１】
2007283076.tif 000003
【図２】
2007283076.tif 000004
【図３】
2007283076.tif 000005
【図４】
2007283076.tif 000006
【図５】
2007283076.tif 000007
【図６】
2007283076.tif 000008